(57)【要約】【課題】  普通の天井高さの戸建住宅の居室に対し空間的な開放感を与える。【解決手段】  傾斜屋根に、居室に連通する開口を設け、該開口にサッシフレーム１０を介して透明パネル１１を開閉不能に固定する一方、サッシフレーム１０の上縁に配したヒンジ２９を介して開閉する、透明パネル１１の蓋体２０を配する（請求項１）。蓋体２０は油圧ステー３０を介して開閉する場合がある。油圧ステー３０を介して蓋体を開くことにより、透明パネル１１を通して家屋の外の風景や空を居室内からみることができる。採光の効果もあがる。視覚的に天井の高さの制約も消えるため、感覚的な圧迫感もなくなり、空間的な広がりや開放感を得られるだけでなく、冷暖房効果に影響を与えることなく空や星や木々の風景も楽しめる。【選択図】    図１
0003130501.tif 000002
【実用新案登録請求の範囲】
【請求項１】
傾斜屋根に、居室と連通する開口を設けるとともに、この開口にサッシフレームを介して透明パネルを開閉不能に固定する一方、
前記サッシフレームの上縁にヒンジを配するとともに、このヒンジを介して開閉する蓋体を配したことを特徴とする傾斜屋根。
【請求項２】
蓋体は、断熱性をもったボードの表面に、傾斜屋根の葺材と同種の葺材を備える一方、ボードの裏面に採光用の薄膜反射シートを備えることを特徴とする請求項１記載の傾斜屋根。
【請求項３】
開口の左右両側に、油圧によって伸縮駆動できるピストンアームを設け、このピストンアームを介して蓋体の開閉角度を調整することを特徴とする請求項１または請求項２記載の傾斜屋根。
【考案の詳細な説明】
【技術分野】
【０００１】
本考案は、切妻屋根や寄棟屋根などの、いわゆる一戸建て住宅の傾斜屋根の構造に関する。
【背景技術】
【０００２】
一戸建て住宅の屋根は、従来から切妻屋根や寄棟屋根などの傾斜屋根を用いることが多い。降雨や降雪をしのぐには、屋根を適当勾配で傾斜させておくことが望ましいからである。
【０００３】
ところで、このような傾斜屋根には、採光等の目的をもって天窓を配することがある（特許文献１）。これは、庇と反射板を利用して反射光を居室に送り込むものである。
【特許文献１】特開２００６−１６９５０４
【考案の開示】
【考案が解決しようとする課題】
【０００４】
問題は、採光とは別の、一戸建て住宅における居住空間の圧迫感にある。反射板を利用すれば傾斜屋根における採光はできるが、空間的な開放感までもたせることは難しい。圧迫感の問題は次の通りである。
【０００５】
いわゆるマンション住宅に較べると、一戸建て住宅は単位面積あたりの建設費用も高く、購入金額も割高である。このような事情があってなお一戸建て住宅を購入したり、あるいは建て替えを行う事情はさまざまであるが、大きな理由の一つとしては上下階や左右両隣に住む他者の生活音が邪魔にならないなど、生活面での開放感があげられる。
【０００６】
しかしながら、わが国の一般的な建築家屋は、床面から天井までの高さが欧米の建築物に較べて小さい。平均で３０ｃｍ〜５０ｃｍほど不足している。このため、せっかく割高の戸建て住宅を購入しても、くつろぐためのリビングの天井が低いため、なんとなく開放感に欠けるなど、居室の狭さに対する圧迫を感じることが少なくない。採光のための反射板があっても、磨かれた、常にきれいな反射板でない限り空間的な広がりには寄与しない。
【０００７】
そこで、本考案の目的は、普通の天井高さの戸建住宅の居室に対し、空間的な開放感を与えることにある。
【課題を解決するための手段】
【０００８】
前記目的を達成して課題を解決するため、本考案は、傾斜屋根に、居室に連通する開口を設け、該開口にサッシフレームを介して透明パネルを開閉不能に固定する一方、サッシフレームの上縁に配したヒンジを介して開閉する蓋体を配する（請求項１）。
【０００９】
このような構成によれば、ヒンジを介して蓋体を開くことにより、開口に設けた透明パネルを通して家屋の外の風景や空を居室内からみることができる。また採光の効果もあがる。視覚的に天井の高さの制約も消えるため、感覚的な圧迫感もなくなり、空間的な広がりや開放感を得られるだけでなく、冷暖房効果に影響を与えることなく空や星や木々の風景も楽しめる。
【００１０】
請求項２は、開口の透明パネルを被覆する蓋体に関するものである。蓋体は、断熱性をもったボードの表面に、傾斜屋根の葺材と同種の葺材を備える一方、ボードの裏面に採光用の薄膜反射シートを備える場合がある。
【００１１】
開口の透明パネルを覆う蓋体は、遮光性のある板材であれば良い。しかしながら、夏期の陽光による冷房効果の低減や、冬期の寒気による暖房効果の低減を避けるため、熱を遮断する断熱ボードを使用することが望ましい。また、外観品質を保つため、屋根の一般面の葺材（葺き板）と同種の葺材を断熱ボードの表面に設け、蓋体を閉じたときの見栄えを向上させることが望ましい。さらに、裏面に採光用の薄膜反射シートを配しておけば、反射光を居室に導くことが出来る。
【００１２】
請求項３は、蓋体の開閉を行う構造に関するもので、開口の左右両側に、油圧によって伸縮駆動できるピストンアームを設け、このピストンアームを介して蓋体の開閉角度を調整する。
【００１３】
蓋体の開閉は、手動でもよいし、電動リールを用いてワイヤを巻き上げ、巻き下げするものでもよい。しかしながら、外観品質を高めるためには、できるだけ蓋体の駆動部が外部に露出しない構成とすることが望ましい。油圧利用のピストンアームの伸縮によって蓋体を開閉すれば、ピストンアームを蓋体の内側に格納でき、蓋体を閉じたときには外部からは普通の傾斜屋根にみえる。また、駆動部を外部にさらさないので雨雪や外気温変化による部品の劣化を長期的に最小限に抑えることが出来る。
【考案の効果】
【００１４】
本考案に係る傾斜屋根によれば、普通の天井高さの戸建住宅の居室に対し、空間的な広がり（開放感）を与えることが出来る。また日当たりの悪い部屋の場合には採光効果もあがる。
【考案を実施するための最良の形態】
【００１５】
図１は、本考案に係る傾斜屋根の一実施形態を示すものである。この屋根は、屋根Ｒの一部、例えば軒の近傍に居室に連通する開口を設けて、この開口に開閉不能に取り付けたサッシフレーム１０と、サッシフレーム１０に対して開閉不能に取り付けた透明パネル１１とを備える一方、この透明パネル１１を被覆できる蓋体２０を備え、油圧装置（図示せず）を介して伸縮駆動できる油圧ステー３０によって蓋体２０を開閉させるものである。２９は、サッシフレーム１０と蓋体２０とを連結するのヒンジであり、蓋体２０の上縁を回動可能に軸支する。ヒンジ２９の数は限定されない。
【００１６】
サッシフレーム１０は、難錆素材、例えばアルミ製のものや樹脂製のものを用いる。またサッシフレーム１０の外周部の排水性能を良好にするため、サッシフレーム１０まわりには雨水を軒方向へ流す排水溝部１４を設けておくことが望ましい。この実施形態では、透明パネル１１の数を三枚として示してあるが、透明パネル１１の数は適宜増減してかまわない。
【００１７】
透明パネル１１は、割れにくい強度の高いもの用いることが望ましい。例えば、ワイヤ入りの透明ガラス板または透明樹脂板である。好ましくは、冷暖房効果に影響を与えないよう、内部に真空領域をもった二重板構造のものを使用する。
【００１８】
蓋体２０は、より具体的には、例えば図２に示すように構成する。すなわち、外周部に難錆素材、例えばアルミニウムや硬質樹脂で成形したフレーム２１を設け、このフレーム２１に断熱ボード２２を嵌合固定するとともに、断熱ボード２２の上面に、屋根Ｒと同一の葺板２４を配する。２３は、葺板２４を固定するための下地材である。
【００１９】
葺板２４は、好ましくはフレーム２１の上面も覆い隠すように設けておくことが望ましい。蓋体２０を閉じたときの屋根Ｒの外観品質を良好にするためである。フレーム２１は、図３に示すように下端（軒側）が解放された略コ字状でもよいし、図４に示すように全周を囲った略ロ字状でもよい。
【００２０】
また、断熱ボード２２の裏面には外光を反射できる肉薄の薄膜反射シート（図示せず）を接着等の手段によって貼着し、蓋体２０の開度の如何にかかわらず、できるだけ多くの光を居室に導入できるようにしておくことが望ましい。薄膜反射シートは、鏡面のようにほとんど乱反射しないものではなく、若干の乱反射を呈するものが望ましい。反射により家屋外から居室の内部がみえる事態を防止するためである。
【００２１】
蓋体２０のフレーム２１は、前記サッシフレーム１０の外周部を包むように嵌合できるよう断面略コ字状に成形し、その内部に油圧ステー３０を格納できるようにしておくことが望ましい。
【００２２】
断熱ボード２２は、例えば、安価な発泡樹脂板を用いることができる。また、繊維材を充填した断熱構造としても良い。断熱材は、厳しい寒暖差によって劣化する場合がある。このため、断熱ボード２２は、蓋体２０のフレーム２１に容易に着脱できる構成としておくことが望ましい。断熱ボード２２として発泡樹脂材を用いる場合は、例えば、ねじ、接着テープ、接着剤、嵌合固定などの各種手段によってフレーム２１に固定することができる。
【００２３】
蓋体２０の開閉を行う油圧ステー３０は、例えば図５に示すように、シリンダ３１の基端部と、ピストン３２の先端を、それぞれヒンジ３４、３５に固定して、ピストン３２の伸縮程度に応じて蓋体２０の開度調整を行うことが出来るようにしておく。
【００２４】
なお、フレーム２１に設けた断面略コ字状の空隙内に油圧ステー３０を配する場合は、側面からの図示が難しいため、理解を容易にするため、図５以下の図面では蓋体２０を単純化して示し、油圧ステー３０をその側部に配した状態で示した。
【００２５】
油圧ステー３０の基端と先端に設けるヒンジ３４、３５のうち、とくに、蓋体２０側に設けるヒンジ３５は、ピストン３２の伸展によって蓋体２０を上方へ持ち上げ、ピストン３２の収縮によって蓋体２０を下方へ引き戻す力が作用するよう、例えば図６に示すように、ヒンジ３５から側方に突出する傾斜をもったフランジ３６を設け、このフランジ３６の傾斜面にピストン３２の先端部を回動自在に係着しておくことが望ましい。こうしておけば、フランジ３６に押圧力が働くとヒンジ３５は、図６の図面上で、必ず反時計回りに回動し、図７に示すように蓋体２０を開く。逆に、フランジ３６にピストン３２の引張が働くとヒンジ３５は、図６の図面上で、必ず時計回りに回動し、図５の状態となる。
【００２６】
なお、図５、図７は、図面の簡単のためフランジ３６を省略してある。図５、図７において、符号５０は外壁、５１は、屋根Ｒの一般部、５２は、屋根Ｒの野地板、５３は、屋根Ｒの下地材、５４は、野地板５２と下地材５３の間に設けた緩衝材（横材）である。
【００２７】
油圧ステー３０は、図示しない油圧装置を介して行う。また油圧装置の制御、つまり油圧ステー３０の伸展または収縮制御は、居室内に配したコントロールスイッチ（図示せず）によって行うことが出来る。
【００２８】
従って、かかる構成によれば、室内のコントロールスイッチを操作して油圧装置を駆動し、油圧ステー３０の伸展または収縮を制御することにより、透明パネル１１を覆う蓋体２０の開度を自在に調整することが出来る。これにより、蓋体２０を最大限に開いたときには、居室内部から外の風景や星空を眺めることができるし、十分な陽光を居室に導くことが出来る。
【００２９】
蓋体２０の裏面に薄膜反射シートを配してあるから、間接反射光によって陽光の導入率はさらに高まる。
【００３０】
蓋体２０は、断熱ボード２２を使用しているから、蓋体２０を閉じておけば冬期や盛夏の熱損失も最小限に抑えることが出来る。透明パネル１１として二重板構造をとっていれば、熱遮断性は通常の屋根とほぼ同様の水準に維持できる。
【００３１】
蓋体２０の表面に、屋根Ｒの一般面の葺板と同じ葺板２４を配しているから、蓋体２０を閉じたときには、通常の傾斜屋根と同じような外観品質を保つことが出来る。
【００３２】
なお、本考案に係る傾斜屋根は、前記実施形態のものに限定されない。例えば、蓋体２０を開閉する駆動手段は、油圧ステーのほかに、油圧モータまたは電気モータによる歯車の回転駆動によって、蓋体２０を軸支しているヒンジを駆動する構成としても良い。モータによるワイヤロープの巻き上げ、巻き戻しによって開閉することも出来る。蓋体２０は、表面に葺板（２４）を備える必要はない。また、裏面に薄膜反射シートを備える必要もない。
【図面の簡単な説明】
【００３３】
【図１】実施形態に係る傾斜屋根を例示する図である。
【図２】図１の傾斜屋根の蓋体を閉じた状態を正面から例示する図である。
【図３】実施形態に係る蓋体のフレーム形状を示す平面図である。
【図４】実施形態に係る蓋体の他のフレーム形状を示す平面図である。
【図５】実施形態に係る油圧ステーの収縮状態を示す図である。
【図６】図５の油圧ステーの固定状態を拡大して示す図である。
【図７】実施形態に係る油圧ステーの伸展状態を示す図である。
【符号の説明】
【００３４】
１０  サッシフレーム
１１  透明パネル
１４  排水溝部
２０  蓋体
２１  フレーム
２２  断熱ボード
２３、５３  下地材
２４  葺板
２９、３４、３５  ヒンジ
３０  油圧ステー
３１  シリンダ
３２  ピストン
３６  フランジ
５０  外壁
５１  一般部
５２  野地板
５４  緩衝材（横材）
Ｒ  屋根
【図１】
0003130501.tif 000003
【図２】
0003130501.tif 000004
【図３】
0003130501.tif 000005
【図４】
0003130501.tif 000006
【図５】
0003130501.tif 000007
【図６】
0003130501.tif 000008
【図７】
0003130501.tif 000009